(57)【要約】      （修正有）【課題】ケーシングスリーブの摩耗部分の交換が容易で、かつ交換費用が安価なケーシングスリーブ及びこのーシングスリーブを内蔵するロータリーバルブを提供する。【解決手段】ケーシングスリーブ２の両端部の内側に、リングスリーブ１が着脱自在であるように嵌挿部を設け、該嵌挿部にリングスリーブ１を嵌挿して一体化してなる、ロータリーバルブのケーシングスリーブ２である。また、ケーシングスリーブ２の両端部の嵌挿部が、ケーシングスリーブ２の摩耗部分を切削して形成される。【選択図】図３
0003214267.tif 000002
【実用新案登録請求の範囲】
【請求項１】
ケーシングスリーブの両端部の内側に、リングスリーブが着脱自在であるように嵌挿部を設け、該嵌挿部にリングスリーブを嵌挿して一体化してなる、ロータリーバルブのケーシングスリーブ。
【請求項２】
前記ケーシングスリーブの両端部の嵌挿部が、ケーシングスリーブの摩耗部分を切削して形成されてなる、請求項１に記載のロータリーバルブのケーシングスリーブ。
【請求項３】
請求項１または２に記載のケーシングスリーブを内蔵してなる、ロータリーバルブ。
【考案の詳細な説明】
【技術分野】
【０００１】
本考案は、内側にリング状のスリーブ（以下「リングスリーブ」という。）を着脱自在に嵌挿してなるロータリーバルブのケーシングスリーブ（内張り）と、該ケーシングスリーブを内蔵したロータリーバルブに関する。
【背景技術】
【０００２】
セメント製造工程において、ロータリーバルブは、フライアッシュ（セメント原料）や石炭（燃料）等の原燃料の粉粒体をロータリーキルン等に供給するための装置として使われている。このロータリーバルブは、後掲の図１や、特許文献１の第１図および第２図等に示すように、ロータリーバルブケースに、ロータリーバルブロータリー（羽根車）を枢着した、粉粒体の供給装置であり、上部のホッパーやサイロ等に貯留した粉粒体を、ロータリーバルブロータリーの回転により、下部の排出口から排出する機構を有する。
しかし、このロータリーバルブケーシングに内装したケーシングスリーブは、前記粉粒体との摩擦により全体的に摩耗する。この摩耗が進行すると、ロータリーバルブケースとロータリーバルブロータリーのクリアランス（隙間）が広がり、粉粒体を定量的に供給できなくなる。また、ロータリーバルブロータリーの回転を止めても粉体を排出し続け、最終的には、ロータリーバルブケースに穴があいて、粉粒体が外部に噴出する場合がある。
この摩耗は、後掲の図２（Ａ）に示すように、特に、ケーシングスリーブの両端部において大きく、６ヶ月〜１年の間隔で新品のケーシングスリーブ（図２の（Ｂ））と交換せざるを得なかった。しかし、新品のケーシングスリーブは高価であり、また交換に時間がかかるため、ケーシングスリーブ全体の交換以外の方法が望まれていた。
【０００３】
そこで、特許文献１では、ロータリーバルブの外周壁の内側に鋼管やセラミック管等の耐摩耗性管を交換可能に内装等したロータリーバルブが提案されている。また、特許文献２でも同様に、ケーシング内周面をセラミック内貼り面としてなるロータリーフィーダー（ロータリーバルブ）が提案されている。しかし、これらのロータリーバルブでは、ケーシング内周面の全面を耐摩耗性材料で覆うため、作製に手間がかかり、またセラミック等の材料はコスト高でもあった。
【先行技術文献】
【特許文献】
【０００４】
【特許文献１】実開平０２−２２９３５号公報
【特許文献２】実開昭６１−９２６３９号公報
【考案の概要】
【考案が解決しようとする課題】
【０００５】
そこで、本考案は、ケーシングスリーブの摩耗部分の交換が容易で、かつ交換費用が安価なケーシングスリーブ等を提供することを目的とする。
【課題を解決するための手段】
【０００６】
本考案者は、前記目的を達成できる装置を種々検討したところ、ケーシングスリーブの両端部に嵌挿部を設け、そこにリングスリーブを嵌挿してなるロータリーバルブは、スリーブの摩耗部分の交換が容易で、かつ交換費用が安価であることを見い出し、本考案を完成させた。すなわち、本考案は、下記の構成を有するケーシングスリーブ等である。
【０００７】
［１］ケーシングスリーブの両端部の内側に、リングスリーブが着脱自在であるように嵌挿部を設け、該嵌挿部にリングスリーブを嵌挿して一体化してなる、ロータリーバルブのケーシングスリーブ。
［２］前記ケーシングスリーブの両端部の嵌挿部が、ケーシングスリーブの摩耗部分を切削して形成されてなる、前記［１］に記載のロータリーバルブのケーシングスリーブ。
［３］前記［１］または［２］に記載のケーシングスリーブを内蔵してなる、ロータリーバルブ。
【考案の効果】
【０００８】
本考案のロータリーバルブは、ケーシングスリーブの摩耗部分（摩耗したリングスリーブ）の交換が容易で、かつ交換費用が安価である。
【図面の簡単な説明】
【０００９】
【図１】ロータリーバルブの一例を示す概略図である。
【図２】ケーシングスリーブの下記（Ａ）〜（Ｄ）の状態を示す概略図や写真である。（Ａ）ケーシングスリーブの両端部が摩耗した状態を示す概略図である。（Ｂ）新品の状態のケーシングスリーブを示す概略図である。（Ｃ）ケーシングスリーブの摩耗した両端部の内側を切削して、リングスリーブが着脱自在である嵌挿部を設けた状態を示す概略図である。（Ｄ）ケーシングスリーブの嵌挿部にリングスリーブを嵌挿して一体化する状態を示す概略図であって、左上の写真がリングスリーブを示す写真であり、右上の写真がケーシングスリーブの嵌挿部を示す写真である。
【図３】ケーシングスリーブの嵌挿部にリングスリーブを嵌挿して一体化した後の、ケーシングスリーブ（本考案）を示す図であり、右図は正面図、左は断面図である。
【図４】ケーシングスリーブの嵌挿部にリングスリーブを嵌挿して一体化した後の、ケーシングスリーブ（本考案）を示す写真である。
【考案を実施するための形態】
【００１０】
本考案は、前記のとおり、ケーシングスリーブの両端部の内側に、リングスリーブが着脱自在であるように嵌挿部を設け、該嵌挿部にリングスリーブを嵌挿して一体化してなるケーシングスリーブ等である。以下、本考案について図３を用いて詳細に説明する。
【００１１】
本考案は、摩耗していないケーシングスリーブ２の両端部の内側に、リングスリーブ１が着脱自在であるように嵌挿部を設け、該嵌挿部にリングスリーブを嵌挿して一体化したケーシングスリーブか、または、使用により摩耗したケーシングスリーブの両端部の内側に、リングスリーブが嵌挿可能な嵌挿部を設けることにより補修した後、該嵌挿部にリングスリーブを嵌挿して一体化した、ケーシングスリーブのいずれでもよい。いずれのリングスリーブでも、ケーシングスリーブの摩耗部分（摩耗したリングスリーブ）の交換が容易で、かつ交換費用が安価であるという本考案の効果を、同じく奏することができる。
【００１２】
ここで、リングスリーブの材質は、特に制限されないが、本考案のケーシングスリーブの耐摩耗性の向上の観点から、好ましくは、鋼等の金属の耐摩耗材である。ただし、本考案ではリングスリーブの交換が容易なことから、高価な耐摩耗材は必ずしも必要ではない。
【実施例】
【００１３】
以下、本考案を実施例により説明するが、本考案はこれらの実施例に限定されない。
鋼製のリングスリーブを嵌挿して一体化したケーシングスリーブを内蔵したロータリーバルブ（実施例）と、同じく鋼製のケーシングスリーブを内蔵した従来のロータリーバルブ（比較例）に、フライアッシュや微粉炭等の粉体を連続して供給して、ケーシングスリーブを摩耗させた後、リングスリーブ（実施例）、および従来のケーシングスリーブ（比較例）のそれぞれの交換に要した費用（材料費と人件費の合計）および人数を評価した。その結果、実施例は比較例に比べ、費用は８１％低減し、人数は半分に低減できた。
【符号の説明】
【００１４】
１  嵌挿部に嵌挿した状態のリングスリーブ
２  ケーシングスリーブ
【図１】
0003214267.tif 000003
【図２】
0003214267.tif 000004
【図３】
0003214267.tif 000005
【図４】
0003214267.tif 000006